(57)【要約】【課題】生産性の高さと、立柱サッシュとアッパサッシュの断面形状の自由度の高さを両立した車両のドアフレーム構造を提供する。【解決手段】立柱サッシュとアッパサッシュはそれぞれ筒状断面部を有し、立柱サッシュとアッパサッシュのいずれか一方が、筒状断面部のうちドアフレーム内周側の面を、筒状断面部を構成する車内側面に対して直交して車外側と車内側を結ぶ面を基準として車内側部分よりも車外側部分がドアフレーム外周側に位置する外周傾斜面としている。立柱サッシュとアッパサッシュの他方は、プレス成形により形成され接合端面で筒状断面部を車外側に向けて開放させた非閉鎖断面形状となっており、該非閉鎖断面形状の筒状断面部のうちドアフレーム内周側の面を、先端部が外周傾斜面と重ならずに外周傾斜面よりもドアフレーム内周側に位置する内周傾斜面とした。【選択図】図６
2014019284.tif 000002
【特許請求の範囲】
【請求項１】
上下方向に延びる立柱サッシュとドア上縁部を形成するアッパサッシュとを有し、上記立柱サッシュと上記アッパサッシュがドアコーナーで互いの接合端面を当接させて接合される車両のドアフレーム構造において、
上記立柱サッシュと上記アッパサッシュはそれぞれ筒状断面部を有し、上記筒状断面部が、車内側に位置してドアフレームの外周側から内周側に延びる車内側面と、上記車内側面のドアフレーム内周側端部に続いて車外側に向かう内周側面とを有すること；
上記立柱サッシュと上記アッパサッシュのいずれか一方が、上記筒状断面部の上記内周側面を、上記車内側面に対して直交して車外側と車内側を結ぶ面を基準として車内側部分よりも車外側部分がドアフレーム外周側に位置する外周傾斜面としていること；及び
上記立柱サッシュと上記アッパサッシュの他方が、プレス成形により形成され上記接合端面で上記筒状断面部を車外側に開放させた非閉鎖断面形状となっており、該非閉鎖断面形状の上記筒状断面部の上記内周側面を、先端部が上記外周傾斜面と重ならずに上記外周傾斜面よりもドアフレーム内周側に位置する内周傾斜面としていること；
を特徴とする車両のドアフレーム構造。
【請求項２】
請求項１記載の車両のドアフレーム構造において、上記外周傾斜面及び上記内周傾斜面は、車内側で互いの端面を当接して接合され、車外側領域で重ならず非当接の関係になる車両のドアフレーム構造。
【請求項３】
請求項２記載の車両のドアフレーム構造において、上記立柱サッシュと上記アッパサッシュのそれぞれの上記接合端面はサッシュ長手方向と直交する面に対して傾斜している車両のドアフレーム構造。
【請求項４】
請求項１記載の車両のドアフレーム構造において、上記外周傾斜面及び上記内周傾斜面は、全ての領域で重ならず非当接の関係である車両のドアフレーム構造。
【請求項５】
請求項４記載の車両のドアフレーム構造において、上記立柱サッシュと上記アッパサッシュのそれぞれの上記接合端面はサッシュ長手方向と直交する面である車両のドアフレーム構造。
【請求項６】
請求項１ないし５のいずれか１項記載の車両のドアフレーム構造において、上記立柱サッシュに上記内周傾斜面が形成され、上記アッパサッシュに上記外周傾斜面が形成されている車両のドアフレーム構造。
【発明の詳細な説明】
【技術分野】
【０００１】
本発明は車両用ドアのドアフレーム構造に関し、特に、ドア上下方向に延びる立柱サッシュと、ドア上縁部を形成するアッパサッシュの接合構造に関する。
【背景技術】
【０００２】
車両用のドアフレームとして、ドアの上下方向に延びる立柱サッシュとドア上縁部を形成するアッパサッシュとを、立柱サッシュの上端部のドアコーナー部において互いの端面を突き合わせて溶接で接合させるものが知られている。多くのドアフレームは強度確保のために筒状断面部を有しているが、立柱サッシュとアッパサッシュの接合端面付近で筒状断面部の一部が開かれた非閉鎖断面形状とされる場合がある。
【先行技術文献】
【特許文献】
【０００３】
【特許文献１】特開２００５-１５３７６７号公報
【特許文献２】特開２０１０-４７２５６号公報
【発明の概要】
【発明が解決しようとする課題】
【０００４】
非閉鎖断面形状のサッシュ構成部材を低コストに製造するにはプレス成形が適しているが、成形時の型抜きによる断面形状の制約を受ける。例えば、車内側に位置する壁部から車外側に向けて一対の壁部が突出するコ字状の断面形状の場合、車外側に向けて成形型を引き抜くことが想定されるが、車外側に向けて延設される一対の壁部が徐々に互いの間隔を狭くする形状であると、車外側への成形型の引き抜きが困難になる。逆に、一部のサッシュ構成部材の成形のしやすさを優先すると、ドアフレーム全体としてのデザイン性などが制約されてしまう。例えば、アッパサッシュと立柱サッシュでは筒状断面部を含めた全体的な断面形状に関する要求が異なるが、互いの接合端面の形状を完全一致させることを優先した結果、ドアコーナー部を除く部分でアッパサッシュと立柱サッシュのそれぞれの断面形状の自由度が低くなってしまうおそれがある。
【０００５】
本発明は以上の問題点に鑑みてなされたものであり、生産性の高さと、立柱サッシュとアッパサッシュの断面形状の自由度の高さを両立した車両のドアフレーム構造を提供することを目的とする。
【課題を解決するための手段】
【０００６】
本発明は、立柱サッシュとアッパサッシュが互いの接合端面を当接させて接合される形態の車両のドアフレーム構造に関しており、立柱サッシュとアッパサッシュはそれぞれ筒状断面部を有し、この筒状断面部が、車内側に位置してドアフレームの外周側から内周側に延びる車内側面と、車内側面のドアフレーム内周側端部に続いて車外側に向かう内周側面とを有すること；立柱サッシュとアッパサッシュのいずれか一方が、筒状断面部の内周側面を、車内側面に対して直交して車外側と車内側を結ぶ面を基準として車内側部分よりも車外側部分がドアフレーム外周側に位置する外周傾斜面としていること；及び、立柱サッシュとアッパサッシュの他方が、プレス成形により形成され接合端面で筒状断面部を車外側に開放させた非閉鎖断面形状となっており、該非閉鎖断面形状の筒状断面部の内周側面を、先端部が外周傾斜面と重ならずに外周傾斜面よりもドアフレーム内周側に位置する内周傾斜面としていること；を特徴としている。
【０００７】
外周傾斜面及び内周傾斜面は、車内側で互いの端面を当接して接合され、車外側領域では重ならず非当接の関係になるように構成することができる。この構成は、立柱サッシュとアッパサッシュのそれぞれの接合端面がサッシュ長手方向と直交する面に対して傾斜している場合に好適である。
【０００８】
あるいは、外周傾斜面及び内周傾斜面を、全ての領域で重ならず非当接の関係にさせてもよい。この構成は、立柱サッシュとアッパサッシュのそれぞれの接合端面がサッシュ長手方向と直交する面である場合に好適である。
【０００９】
外周傾斜面と内周傾斜面をドアフレームのいずれの部分に形成するかは任意に設定可能であるが、一例として立柱サッシュに内周傾斜面を形成し、アッパサッシュに外周傾斜面を形成するとよい。
【発明の効果】
【００１０】
以上の本発明の車両のドアフレーム構造によれば、立柱サッシュとアッパサッシュのそれぞれの筒状断面部を構成する内周側面を、サッシュ端面の接合状態で互いの少なくとも一部が重ならない内周傾斜面と外周傾斜面としたことにより、ドアコーナー部での立柱サッシュとアッパサッシュの端面接合を行いつつ、立柱サッシュとアッパサッシュの断面形状を異ならせてドアフレームの構成に自由度を持たせることが可能となる。
【図面の簡単な説明】
【００１１】
【図１】本発明のドアフレーム構造を適用する自動車の前部座席用の側面ドアを車内側から見た側面図である。
【図２】図１のドアでアッパサッシュと立柱サッシュが接合されるドアコーナー部を含むドアフレームの一部を車内側から見た図である。
【図３】図２のＡ-Ａ線に沿う立柱サッシュの断面図である。
【図４】図２のＢ-Ｂ線に沿うアッパサッシュの断面形状を示す図である。
【図５】図２のドアコーナー部での立柱サッシュの端面形状を示す図である。
【図６】図２のドアコーナー部におけるアッパサッシュと立柱サッシュの接合端面の関係を示す図である。
【図７】ドアコーナー部でアッパサッシュにおける立柱サッシュとの溶接範囲を示す図である。
【図８】異なる実施形態のドアフレーム構造のドアコーナー部付近を拡大した図である。
【図９】図８のドアコーナー部での立柱サッシュの端面形状を示す図である。
【図１０】図８のドアコーナー部におけるアッパサッシュと立柱サッシュの接合端面の関係を示す図である。
【図１１】本発明のドアフレーム構造を適用する自動車の後部座席用の側面ドアを車内側から見た側面図である。
【発明を実施するための形態】
【００１２】
図１は自動車の前部座席用の側面ドア１０を示している。ドア１０は、二点鎖線で概略形状を示すドアパネル１２と、ドアパネル１２の上部に枠状に形成されたドアフレーム１４とを有し、ドアパネル１２の上縁部とドアフレーム１４の内縁部とで囲まれる窓開口１６内にドアガラス（図示略）が昇降する。窓開口１６に臨むドアフレーム１４の内周側には弾性材からなるガラスラン（図示略）が配設されており、ドアガラスの縁部がガラスランにより保持される。ドアフレーム１４は、ドア上縁部を形成するアッパサッシュ１８と、ドアパネル１２の後部から上方へ延設された立柱サッシュ２０を備えており、アッパサッシュ１８の後端部と立柱サッシュ２０の上端部がドアコーナー部で接合される。ドアパネル１２は車外側のアウタパネルと車内側のインナパネルを組み合わせて構成され、アッパサッシュ１８の前方下部はミラーブラケット２２を介してインナパネルに固定され、立柱サッシュ２０の下部はロックブラケット２４を介してインナパネルに固定される。ミラーブラケット２２とロックブラケット２４に対して、車両前後方向に延びるベルトラインリンフォース２６が固定される。ドア１０を閉じたとき、アッパサッシュ１８は、図示しない車両ボディのルーフパネルのドア開口部に沿って位置し、立柱サッシュ２０は、車両ボディのセンターピラーに沿って位置される。アッパサッシュ１８と立柱サッシュ２０の外周側には弾性材からなるウェザストリップ（図示略）が配設されており、ドア１０を閉じるとウェザストリップが弾性変形して、ドア１０と車両ボディの間を液密に塞ぐ。以下の説明では、ドアフレーム１４において窓開口１６に臨む側を内周側と呼び、これと反対側の車両ボディ開口部に臨む側を外周側と呼ぶ。また、前方、後方、上方、下方、車内側、車外側といった方向の表現は、この前部座席用ドア１０が取り付けられる自動車のボディを基準とした方向を意味する。
【００１３】
アッパサッシュ１８は一体形成された長尺部材で構成されており、本実施形態ではアルミ材の押出成形品として形成されている。図４に示すように、アッパサッシュ１８は、車外側に位置する車外側壁３０と、車外側壁３０の外周側端部から車内側に延びるガラスラン保持底壁３１と、ガラスラン保持底壁３１から内周側に延びる中央立壁３２と、中央立壁３２から車内側に延びるウェザストリップ保持底壁３３及び内周壁（内周側面、外周傾斜面）３４と、ウェザストリップ保持底壁３３と内周壁３４を接続する車内側壁（車内側面）３５と、ウェザストリップ保持底壁３３と車内側壁３５の境界部分から外周側に突出して車外側に曲げられた片持ち突出部３６と、片持ち突出部３６の車外側に対向して位置し中央立壁３２から車内側に突出する抜止段部３７とを有している。車外側壁３０、ガラスラン保持底壁３１及び中央立壁３２に囲まれる部分は、内部にガラスランを嵌合保持させるガラスラン保持部３８を構成している。ガラスラン保持部３８は内周側に向けて開かれた有底の箱形形状をなしている。中央立壁３２の一部にはガラスラン保持部３８内に保持されたガラスランの抜け止めに用いられる抜止段部３９が形成されている。中央立壁３２、ウェザストリップ保持底壁３３、車内側壁３５、片持ち突出部３６及び抜止段部３７に囲まれる部分は、内部にウェザストリップを嵌合保持させるウェザストリップ保持部４０を構成する。ガラスラン保持部３８は外周側に向けて開かれた有底の箱形形状をなしており、片持ち突出部３６と抜止段部３７によってウェザストリップの脱落が防止される。中央立壁３２、ウェザストリップ保持底壁３３、内周壁３４及び車内側壁３５に囲まれる部分は、角筒状（袋状）の中空断面のメインフレーム部（筒状断面部）４１を構成する。車外側壁３０に対して、図示を省略する外装部材（ガーニッシュ）が取り付けられる。
【００１４】
図３に示すように、立柱サッシュ２０はガラスランチャンネル４２とアウタ部材４３とウェザストリップチャンネル４４を組み合わせて構成されている。ガラスランチャンネル４２はアルミ材の押出成形又はロール成形により形成される長尺部材であり、車外側に位置する車外側壁４５と、車外側壁４５の外周側端部から車内側に延びるガラスラン保持底壁４６と、ガラスラン保持底壁４６から内周側に延びる車内側壁４７と、車内側壁４７の内周側端部を車外側に曲げて形成した被挟持部４８とを有する。車内側壁４７は、車外側壁４５に対向する外周側壁部４７ａと車外側壁４５に対向しない内周側壁部４７ｂを有し、内周側壁部４７ｂが外周側壁部４７ａよりも車内側に位置している。被挟持部４８の先端は、概ね外周側壁部４７ａを内周側に延長した位置にある。
【００１５】
アウタ部材４３は、アルミ材のプレス成形により形成される長尺部材であり、車外側に位置する車外側壁５０と、車外側壁５０の内周側端部から車内側に延びる底壁５１と、底壁５１から車内側に延長されたウェザストリップ当接壁５２と、ウェザストリップ当接壁５２の車内側端部から内周側に延びる車内側壁（車内側面）５３と、車内側壁５３から離れて車外側に進むにつれて徐々に内周側に進む傾斜壁５４と、傾斜壁５４から角度を変えて車外側に延びる内周壁（内周側面）５５と、内周壁５５の車外側端部を外周側に折り返した折返部５６を有する。
【００１６】
ガラスランチャンネル４２とアウタ部材４３は、ガラスラン保持底壁４６の外周側に底壁５１を重ねて溶接で固定される。ガラスランチャンネル４２とアウタ部材４３はさらに、被挟持部４８を折返部５６で挟んで密着固定させるヘミング加工接合によっても固定される。ウェザストリップチャンネル４４は、底壁５１の外周側に溶接等で固定されるウェザストリップ保持底壁５７と、ウェザストリップ保持底壁５７の車外側と車内側の端部から外周側に突出する一対の保持爪５８、５９とを備えており、アルミ材のプレス成形又はロール成形によって形成される。
【００１７】
立柱サッシュ２０のうち、ガラスランチャンネル４２の車外側壁４５、ガラスラン保持底壁４６及び車内側壁４７に囲まれる部分は、内部にガラスランを嵌合保持させるガラスラン保持部６０を構成している。ガラスラン保持部６０は内周側に向けて開かれた有底の箱形形状をなしている。アウタ部材４３の車外側壁５０、底壁５１及びウェザストリップ当接壁５２とウェザストリップチャンネル４４とに囲まれる部分は、内部にウェザストリップを嵌合保持させるウェザストリップ保持部６１を構成する。ウェザストリップチャンネル４４の保持爪５８と保持爪５９によってウェザストリップの脱落が防止される。ドア１０を閉じたときに、ウェザストリップの一部がウェザストリップ当接壁５２に当接する。
【００１８】
ガラスランチャンネル４２の車内側壁４７、アウタ部材４３のウェザストリップ当接壁５２、車内側壁５３、傾斜壁５４及び内周壁５５に囲まれる部分は、角筒状（袋状）の中空断面のメインフレーム部（筒状断面部）６２を構成する。メインフレーム部６２の断面形状は立柱サッシュ２０の上下方向の位置によって異なり、下方に進むにつれてウェザストリップ当接壁５２と内周壁５５の車内側への突出量が大きくなる。すなわち、下方に進むにつれてメインフレーム部６２が徐々に車内側に長くなる。メインフレーム部６２は、立柱サッシュ２０の長手方向におけるいずれの断面位置でも車外側に開放された断面形状になっており、車内側壁５３から離れて車外側に進むにつれて、底壁５１及びウェザストリップ当接壁５２からなる外周側の壁部と、傾斜壁５４及び内周壁５５からなる内周側の壁部との間隔が広くなる。ガラスランチャンネル４２の車外側壁４５とアウタ部材４３の車外側壁５０に対して、図示を省略する外装部材（ガーニッシュ）が取り付けられる。図１に示すように、立柱サッシュ２０における車外側壁５０は、上方から下方に進むにつれて徐々に幅を広くする。
【００１９】
アッパサッシュ１８と立柱サッシュ２０が接合するドアコーナー部の構造を説明する。アッパサッシュ１８は前端部からドアコーナー部に至るまで概ね一様な断面形状を有しており、その後端部が、アッパサッシュ１８の長手方向と直交する面（物直方向の面）に対して傾斜する接合端面１８Ｋとして形成されている。図４はアッパサッシュ１８の物直方向の断面形状を示しているが、アッパサッシュ１８の接合端面１８Ｋを後方から見ると図４の物直方向断面と同様の形状になっている（図６参照）。立柱サッシュ２０は、ドアコーナー部ではガラスランチャンネル４２とウェザストリップチャンネル４４が省略され、アウタ部材４３のみが存在している。アウタ部材４３はドアコーナー部では断面形状が変化しており、図５に示すアウタ部材４３の接合端面４３Ｋでは、図３に示す通常断面部分での車外側壁５０、底壁５１、ウェザストリップ当接壁５２、車内側壁５３及び内周壁５５のそれぞれから連続する部分が車外側壁５０Ｃ、底壁５１Ｃ、ウェザストリップ当接壁５２Ｃ、車内側壁５３Ｃ及び内周壁（内周側面、内周傾斜面）５５Ｃとなっている。傾斜壁５４に連続する傾斜壁５４Ｃは上方に進むにつれて徐々に幅が狭くなり（図２参照）、最終的に接合端面４３Ｋでは車内側壁５３Ｃと内周壁５５Ｃの境界の角部分となる（図５参照）。一方、車内側壁５３Ｃは上方に進むにつれて徐々に幅が広くなっており、接合端面４３Ｋで最も幅広になる（図２参照）。
【００２０】
ドアコーナー部分でのアッパサッシュ１８と立柱サッシュ２０の接合関係を図６に示す。ドアコーナー部のアウタ部材４３は車外側に向けて開放されたコ字状の形状を有し、アッパサッシュ１８の接合端面１８Ｋのうち車外側壁３０を除いた外縁部分に沿ってアウタ部材４３の接合端面４３Ｋが重なる。詳細には、アウタ部材４３における車外側壁５０Ｃ、底壁５１Ｃ、ウェザストリップ当接壁５２Ｃ、車内側壁５３Ｃがそれぞれアッパサッシュ１８のガラスラン保持底壁３１、中央立壁３２、片持ち突出部３６、車内側壁３５の端面に当て付く。アウタ部材４３の内周壁５５Ｃは、傾斜壁５４Ｃに近い車内側の基部ではアッパサッシュ１８の内周壁３４の端面に重なるが、車外側に進むと内周壁３４と重ならずに内周側に離れていく形状を有している。つまり内周壁５５Ｃは、車内側から車外側に進むにつれてウェザストリップ当接壁５２Ｃから離間するように、内周側に向けて所定の開き角を有する形状になっている。
【００２１】
図４や図６から分かるように、アッパサッシュ１８におけるメインフレーム部４１は、内周側に位置する内周壁３４が、車内側（車内側壁３５に接続する側）から車外側（中央立壁３２に接続する側）に進むにつれて徐々に内周側から外周側に向かうように傾斜している。つまり、外周側から内周側に延びる車内側壁３５に直交し、内周壁３４と車内側壁３５の境界部を通って車内側と車外側を結ぶ仮想面Ｐ（図４）を設定した場合、内周壁３４は、車内側壁３５から離れて車外側に進むにつれて、この仮想面Ｐから外周側に離れてウェザストリップ保持底壁３３に接近する負角形状になっている。
【００２２】
前述した通り、ドアコーナー部分における立柱サッシュ２０のアウタ部材４３は車外側に向けて開放されたコ字状の断面形状になっている。このアウタ部材４３のように一方の側部が開放された長尺部材を形成する場合、その開放方向に引き抜かれる成形型を用いてプレス成形することが製造コストや生産性の点で好ましい。但し、車外側壁５０Ｃ及びウェザストリップ当接壁５２Ｃからなる外周側の壁部や、内周壁５５Ｃからなる内周側の壁部が、車内側壁５３Ｃから離れて車外側に進むにつれて互いの間隔を狭くする負角の延設方向に設定されていると、成形型を車外側に引き抜くことが難しくなる。ここで、アッパサッシュ１８の内周壁３４が仮想線Ｐに対する負角になっており、内周壁５５Ｃを完全に内周壁３４に沿わせた形状にすると、車内側壁５３Ｃを基準として内周壁５５Ｃが負角になるため、車外方向への成形型の引き抜きを妨げてしまう。これと異なり本実施形態では、図６に示すように、傾斜壁５４Ｃに近い車内側の一部領域では内周壁３４の端面に重なり、それよりも車外側に進んだ領域では内周壁３４と重ならずに内周側に離れる形状に内周壁５５Ｃを設定したことにより、内周壁５５Ｃが負角にならずに車外側への成形型の引き抜きが可能なアウタ部材４３の断面形状になっている。
【００２３】
アッパサッシュ１８とアウタ部材４３は、互いの接合端面１８Ｋ、４３Ｋを付きあわせた状態で接合端面１８Ｋ、４３Ｋの側部に沿って溶接を行って固定される。アッパサッシュ１８における溶接の範囲を図７にＤで示す。ガラスラン保持底壁３１と車外側壁５０Ｃ、底壁５１Ｃとウェザストリップ当接壁５２の上部、車内側壁３５と車内側壁５３Ｃについては、互いに重なる部分が全体的に溶接される、内周壁３４と内周壁５５Ｃは、車内側壁３５や車内側壁５３Ｃに近い重畳部分が溶接され、互いに重ならない部分は溶接されない。また、片持ち突出部３６とウェザストリップ当接壁５２Ｃの端面が互いに重なる関係にあるが、片持ち突出部３６の先端付近の所定範囲はウェザストリップ当接壁５２Ｃに対して溶接されない。
【００２４】
アッパサッシュ１８と立柱サッシュ２０の溶接による接合の詳細を説明する。アッパサッシュ１８における片持ち突出部３６は先端を自由端部とした片持ち形状をなしており、図７に示すＥ領域の肉厚が一定で、Ｅ領域よりも先端側は丸みを帯びた先細形状になっており、Ｅ領域よりも基端側は徐々に肉厚を大きくしてメインフレーム部４１（ウェザストリップ保持底壁３３と車内側壁３５の境界部分）に接続している。この片持ち突出部３６において、Ｅ領域の基端位置Ｅ-１を境とした先端側部分を細幅部３６ａ、基端位置Ｅ-１を境とした基端側部分を拡幅部３６ｂとする。拡幅部３６ｂは、湾曲しながらメインフレーム部４１に接続するという形状上の要求から、メインフレーム部４１に近づくにつれて徐々に肉厚が大きくなっている。より詳しくは、片持ち突出部３６の車内側の面３６ｃ（図４、図７）を基準として、この車内側の面３６ｃと直交する方向で片持ち突出部３６の幅Ｗ（図７）を設定すると、拡幅部３６ｂではＥ領域（細幅部３６ａ）から離れて基端側に進むにつれて徐々に幅Ｗが拡大する。アッパサッシュ１８における溶接範囲Ｄは片持ち突出部３６の細幅部３６ａを含んでおらず、メインフレーム部４１の車内側壁３５に沿う領域から片持ち突出部３６の拡幅部３６ｂまでが溶接範囲Ｄとして設定されている。すなわち細幅部３６ａと拡幅部３６ｂの境界位置Ｅ-１が溶接範囲Ｄの一端部（始点あるいは終点）となる。溶接範囲Ｄの他端部は、前述した内周壁３４と内周壁５５Ｃの重畳部分に定められる。
【００２５】
このように、アッパサッシュ１８でメインフレーム部４１から突出する片持ち突出部３６のうち、先端側の細幅部３６ａを溶接範囲Ｄに含めていない。片持ち突出部３６の細幅部３６ａは拡幅部３６ｂよりも肉厚が小さく溶接時の高熱による影響を受けやすいが、細幅部３６ａを溶接箇所から外すことにより、溶接の高熱を起因とする片持ち突出部３６の溶け落ちを防ぐことができる。一方、片持ち突出部３６の拡幅部３６ｂは肉厚が大きく高熱による影響を受けにくいため、拡幅部３６ｂを溶接範囲Ｄに含めておくことで、片持ち突出部３６の全体を溶接しない場合に比べてアッパサッシュ１８と立柱サッシュ２０の接合強度を高めることができる。なお、片持ち突出部３６の細幅部３６ａを溶接範囲に含まないという条件を満たしていれば、必要とされる強度に応じて溶接範囲Ｄ以外の箇所（例えば、ガラスラン保持底壁３１と車外側壁５０Ｃの接合部分、中央立壁３２と底壁５１Ｃの接合部分など）でアッパサッシュ１８と立柱サッシュ２０を溶接してもよい。
【００２６】
図８から図１０は異なる実施形態を示している。この実施形態のアッパサッシュ１１８と立柱サッシュ１２０は、ドアコーナー部での接合形態が先の実施形態と異なっている。アッパサッシュ１１８における立柱サッシュ１２０との接合端面１１８Ｋ、１２０Ｋはそれぞれ、アッパサッシュ１１８の長手方向と直交する物直方向の面として形成されている。アッパサッシュ１１８の接合端面１１８Ｋは、先の実施形態のアッパサッシュ１８の接合端面１８Ｋとは切断される方向が異なるものの、後方から見るとアッパサッシュ１８の接合端面１８Ｋと概ね同じ形状を有しており、図１０ではアッパサッシュ１１８の接合端面１１８Ｋの各部を、図６におけるアッパサッシュ１８の接合端面１８Ｋと同符号で示している。
【００２７】
立柱サッシュ１２０を構成するアウタ部材１４３の上端部付近は前方に向けて湾曲されており、アッパサッシュ１１８の接合端面１１８Ｋに当接する接合端面が図９及び図１０に示す形状になっている。このアウタ部材１４３側の接合端面１４３Ｋは、先の実施形態のアウタ部材４３の接合端面４３Ｋに対応する部位を有しており、具体的には車内側壁（車内側面）１５３Ｃを車内側の基準面として、車内側壁１５３Ｃの外周側端部から車外側に向けてウェザストリップ当接壁１５２Ｃ、底壁１５１Ｃ、車外側壁１５０Ｃが延設され、車内側壁１５３Ｃの内周側端部に続く傾斜壁１５４Ｃから車外側に向けて内周壁（内周側面、内周傾斜面）１５５Ｃが延設されている。先の実施形態の内周壁５５Ｃと同様に、内周壁１５５Ｃは、車内側から車外側に進むにつれて車外側壁１５０Ｃ、底壁１５１Ｃ及びウェザストリップ当接壁１５２Ｃから離間する傾斜を有しており、アウタ部材１４３を成形する際に車外側へ向けて成形型の引き抜きが可能になっている。内周壁１５５Ｃは先の実施形態の内周壁５５Ｃよりも内周方向への開き角が大きく、全体がアッパサッシュ１１８の内周壁３４と重ならない。サッシュ長手方向と直交する物直方向端面でアッパサッシュ１１８と立柱サッシュ１２０を接合させる本実施形態では、アウタ部材１４３の接合端面１４３Ｋを、車内側壁１５３Ｃに対する内周方向への開き角の大きい内周壁１５５Ｃを有する形状に設定することが有効である。
【００２８】
図８から図１０の実施形態においても、アッパサッシュ１１８を構成する片持ち突出部３６のうち先端側の細幅部３６ａが立柱サッシュ１２０に対する溶接範囲に含まれていない。これにより、所定の接合強度を確保できると共に、溶接の高熱を起因とする片持ち突出部３６の溶け落ちを防ぐことができる。
【００２９】
以上に説明した実施形態のドアフレーム構造では、アッパサッシュ１８（１１８）の接合端面１８Ｋ（１１８Ｋ）と立柱サッシュ２０（１２０）の接合端面４３Ｋ（１４３Ｋ）が、互いに当接接合可能な形状を備えつつ、アッパサッシュ１８（１１８）のメインフレーム部４１の内周側を構成する内周壁３４と、立柱サッシュ２０（１２０）のメインフレーム部６２の内周側を構成する内周壁５５Ｃ（１５５Ｃ）を、互いの少なくとも一部が重ならない形状としている。これにより、立柱サッシュ２０（１２０）のアウタ部材４３（１４３）をプレス成形によって容易に成形可能な断面形状としつつ、押出成形されるアッパサッシュ１８（１１８）ではメインフレーム部４１に独自の断面形状を持たせており、ドアフレーム１４の各部での形状自由度の高さと生産性の両立が達成されている。なお、アッパサッシュ１８（１１８）と立柱サッシュ２０（１２０）を接合した状態では内周壁３４と内周壁５５Ｃ（１５５Ｃ）の間に段差が存在するが、この段差はメインフレーム部４１、６２の内周側に向くものであるため、ドアフレーム１４の外観に影響しない。内周壁３４と内周壁５５Ｃ（１５５Ｃ）の間の段差は、アッパサッシュ１８（１１８）と立柱サッシュ２０（１２０）の接合後に必要に応じて埋められる。
【００３０】
以上の各実施形態は自動車の前部座席用の側面ドア１０へ適用しているが、図１１に示す後部座席用の側面ドア２１０など、他のドアにも適用が可能である。ドア２１０はドアパネル２１２とドアフレーム２１４を有し、ドア上縁部を形成するアッパサッシュ２１８と、ドアパネル２１２の前部から上方へ延設された立柱サッシュ２２０が、ドア前方上部のドアコーナー部分で互いの端面を当接させて接合される。前部座席用のドア１０におけるアッパサッシュ１８（１１８）と立柱サッシュ２０（１２０）の接合構造と共通するため詳細な説明は省略するが、ドア２１０のアッパサッシュ２１８と立柱サッシュ２２０の接合構造に本発明を適用することも可能である。
【００３１】
以上、図示実施形態に基づき本発明を説明したが、本発明は図示した実施形態に限定されるものではなく、発明の要旨を逸脱しない限りにおいて改良や改変が可能である。例えば図示実施形態のドアフレームを構成する各部材はアルミ材としたが、鉄などの異なる材質で形成されるドアフレームにも本発明は適用が可能である。
【００３２】
また、図示実施形態ではアッパサッシュ１８（１１８）の側に、車内側から車外側へ進むにつれて徐々に外周側に進む傾斜（負角）の内周壁３４が形成され、立柱サッシュ２０（１２０）の側に、車内側から車外側へ進むにつれて徐々に内周側に進む傾斜の内周壁５５Ｃ（１５５Ｃ）が形成されているが、この関係を逆にすることも可能である。
【符号の説明】
【００３３】
１０  ２１０  ドア
１２  ２１２  ドアパネル
１４  ２１４  ドアフレーム
１８  １１８  ２１８  アッパサッシュ
１８Ｋ  １１８Ｋ  接合端面
２０  １２０  ２２０  立柱サッシュ
３０  車外側壁
３１  ガラスラン保持底壁
３２  中央立壁
３３  ウェザストリップ保持底壁
３４  内周壁（内周側面、外周傾斜面）
３５  車内側壁（車内側面）
３６  片持ち突出部
３６ａ  細幅部
３６ｂ  拡幅部
３７  抜止段部
３８  ガラスラン保持部
３９  抜止段部
４０  ウェザストリップ保持部
４１  メインフレーム部（筒状断面部）
４２  ガラスランチャンネル
４３  １４３  アウタ部材
４３Ｋ  １４３Ｋ  接合端面
４４  ウェザストリップチャンネル
４５  車外側壁
４６  ガラスラン保持底壁
４７  車内側壁
４８  被挟持部
５０  ５０Ｃ  １５０Ｃ  車外側壁
５１  ５１Ｃ  １５１Ｃ  底壁
５２  ５２Ｃ  １５２Ｃ  ウェザストリップ当接壁
５３  ５３Ｃ  １５３Ｃ  車内側壁（車内側面）
５４  ５４Ｃ  １５４Ｃ  傾斜壁
５５  ５５Ｃ  １５５Ｃ  内周壁（内周側面、内周傾斜面）
５６  折返部
５７  ウェザストリップ保持底壁
５８  ５９  保持爪
６０  ガラスラン保持部
６１  ウェザストリップ保持部
６２  メインフレーム部（筒状断面部）
【図１】
2014019284.tif 000003
【図２】
2014019284.tif 000004
【図３】
2014019284.tif 000005
【図４】
2014019284.tif 000006
【図５】
2014019284.tif 000007
【図６】
2014019284.tif 000008
【図７】
2014019284.tif 000009
【図８】
2014019284.tif 000010
【図９】
2014019284.tif 000011
【図１０】
2014019284.tif 000012
【図１１】
2014019284.tif 000013